(57)【特許請求の範囲】
【請求項１】
タッチパネルを搭載した情報処理装置であって、
画面上に電子付箋アプリケーションの電子付箋アイコンを表示するアイコン表示部と、
ユーザにより前記電子付箋アイコンの選択操作されたことを検出するアイコン選択検出部と、
ユーザによる前記電子付箋アイコンの選択操作が検出されたとき、画面上に付箋図形を表示する付箋表示部と、
ユーザ操作により、画面内の所定領域に表示された表示情報に前記付箋図形が重ねて表示されているか否かを判定する表示状態判定部と、
前記表示状態判定部により前記付箋図形が前記表示情報に重ねて表示されていると判定された場合、前記表示情報から抽出した書込情報を前記付箋図形内に書き込んで表示する付箋書込部とを、具備する情報処理装置。
【請求項２】
前記表示情報は文字列を含んでおり、前記付箋書込部はユーザにより選択された文字列の一部又は全部を書込情報として前記付箋図形内に表示するようにした請求項１記載の情報処理装置。
【請求項３】
ユーザが前記表示情報に含まれる複数の文字列を選択した場合、前記付箋書込部は複数の文字列を結合して書込情報を生成して、前記付箋図形内に表示するようにした請求項１記載の情報処理装置。
【請求項４】
前記付箋図形を画面に関連付けて管理する付箋図形管理部を更に具備し、前記付箋図形管理部は前記付箋図形及び書込情報を所望の画面に移動して表示するようにした請求項１記載の情報処理装置。
【請求項５】
ユーザによる前記付箋図形に対する移動操作を検出する移動操作検出部と、
前記移動操作がなされた前記付箋図形及び書込情報を示す付箋図形データを他の情報処理装置に送信する付箋図形データ送信部とを、更に具備した請求項１記載の情報処理装置。
【請求項６】
前記他の情報処理装置から付箋図形データを受信して、当該付箋図形データを画面上に表示する付箋図形データ取込部を更に具備した請求項５に記載の情報処理装置。
【請求項７】
タッチパネルを搭載した情報処理装置に適用される電子付箋の書込情報処理方法であって、
画面上に電子付箋アプリケーションの電子付箋アイコンを表示し、
ユーザにより前記電子付箋アイコンの選択操作されたことを検出し、
画面上に付箋図形を表示し、
ユーザ操作により、画面内の所定領域に表示された表示情報に前記付箋図形が重ねて表示されているか否かを判定し、
前記付箋図形が重ねて表示された前記表示情報から書込情報を抽出し、
前記書込情報を前記付箋図形内に書き込んで表示するようにした電子付箋の書込情報処理方法。
【請求項８】
タッチパネルを搭載した情報処理装置に電子付箋を適用して、当該電子付箋の書込情報の処理を実行するプログラムであって、
画面上に電子付箋アプリケーションの電子付箋アイコンを表示し、
ユーザにより前記電子付箋アイコンの選択操作されたことを検出し、
画面上に付箋図形を表示し、
ユーザ操作により、画面内の所定領域に表示された表示情報に前記付箋図形が重ねて表示されているか否かを判定し、
前記付箋図形が重ねて表示された前記表示情報から書込情報を抽出し、
前記書込情報を前記付箋図形内に書き込んで表示するようにしたプログラム。
【発明の詳細な説明】
【技術分野】
【０００１】
本発明は、タッチパネルを搭載した情報処理装置に関し、特に、タッチパネルに表示される電子付箋の書込情報を処理する装置及び方法に関する。
本願は、２０１１年９月１５日に日本国に出願された特願２０１１−２０１５７９号に基づき優先権を主張し、その内容をここに援用する。
【背景技術】
【０００２】
企業や事務所などにおける事務処理において、簡単なメモを残すために付箋と呼ばれる紙片に簡潔な伝達事項や情報を書き込んで書類とともに保存することがある。このような付箋には、事務職員が事務処理上のメモや伝達事項が亡失されるのを防止するという利点がある。近年、情報処理装置として携帯電話やスマートフォンなどのタッチパネルを搭載した携帯型情報端末が市販され、多くの人々により利用されている。情報処理装置に対するユーザの利便性を高めるため、電子付箋の表示機能を実装した情報処理装置が開発されている。【０００３】
電子付箋機能を実装した情報処理装置に関する文献として、例えば、特許文献１は既存の文章の一部を電子付箋に移動するとともに、電子付箋の内容を既存の文章に挿入することができる電子付箋システムを開示している。特許文献２は、マルチメディアコンテンツを電子付箋に貼り付けたり、当該電子付箋を表示画面から剥がしたりすることができるマルチメディア付箋装置を開示している。
【先行技術文献】
【特許文献】
【０００４】
【特許文献１】特開２００４−４６３５８号公報
【特許文献２】特開２０１１−９５９０２号公報
【発明の概要】
【発明が解決しようとする課題】
【０００５】
しかし、上述の従来技術は携帯型情報端末に組み込んでユーザが直感的に電子付箋を操作できるものではなく、ユーザに対する電子付箋の利便性を向上する技術の開発が必要であった。
本発明の目的は、タッチパネルを搭載した情報処理装置において表示される電子付箋を利用して書込情報を処理することができる装置及び方法を提供することである。
【課題を解決するための手段】
【０００６】
本発明は、タッチパネルを搭載した情報処理装置に関する。この情報処理装置は、画面上に電子付箋アプリケーションの電子付箋アイコンを表示するアイコン表示部と、ユーザにより電子付箋アイコンの選択操作されたことを検出するアイコン選択検出部と、ユーザによる電子付箋アイコンの選択操作が検出されたとき、画面上に付箋図形を表示する付箋表示部と、ユーザ操作により、画面内の所定領域に表示された表示情報に付箋図形が重ねて表示されているか否かを判定する表示状態判定部と、表示状態判定部により付箋図形が表示情報に重ねて表示されていると判定された場合、表示情報から抽出した書込情報を付箋図形内に書き込んで表示する付箋書込部とを具備する。【０００７】
本発明は、タッチパネルを搭載した情報処理装置に適用される電子付箋の書込情報処理方法に関する。この電子付箋の書込情報処理方法では、画面上に電子付箋アプリケーションの電子付箋アイコンを表示し、ユーザにより電子付箋アイコンの選択操作されたことを検出し、画面上に付箋図形を表示し、ユーザ操作により、画面内の所定領域に表示された表示情報に付箋図形が重ねて表示されているか否かを判定し、付箋図形が重ねて表示された表示情報から書込情報を抽出し、書込情報を付箋図形内に書き込んで表示する。【０００８】
本発明は、タッチパネルを搭載した情報処理装置に電子付箋を適用して、当該電子付箋の書込情報の処理を実行するプログラムに関する。このプログラムでは、画面上に電子付箋アプリケーションの電子付箋アイコンを表示し、ユーザにより電子付箋アイコンの選択操作されたことを検出し、画面上に付箋図形を表示し、ユーザ操作により、画面内の所定領域に表示された表示情報に付箋図形が重ねて表示されているか否かを判定し、付箋図形が重ねて表示された表示情報から書込情報を抽出し、書込情報を付箋図形内に書き込んで表示する。
【発明の効果】
【０００９】
本発明によれば、ユーザは情報処理装置（例えば、携帯電話、スマートフォン、タブレットＰＣ）を直感的に操作することにより、所望の情報を付箋図形に書き込んでタッチパネル上に表示することができる。また、付箋図形データを他のアプリケーションと関連付けて記録することができるとともに、他の情報処理装置に送信することができる。これにより、ユーザに対する電子付箋の利便性を向上することができる。
【図面の簡単な説明】
【００１０】
【図１】本発明の一実施例に係るタッチパネルを搭載した情報処理装置の外観図である。
【図２】情報処理装置の機能ブロック図である。
【図３】情報処理装置の電子付箋処理を示すフローチャートである。
【図４】ユーザの指によるタッチパネル上の電子付箋の接触操作を示す拡大正面図である。
【図５】ユーザの指によるタッチパネル上の接触操作及び移動操作を示す拡大正面図である。
【図６】ユーザのキーボード操作により付箋図形内に所望の文字列が書き込まれたタッチパネルの表示例を示す拡大正面図である。
【図７】タッチパネル上の付箋図形に所望のウェブページのＵＲＬを記録するときの操作例を示す拡大正面図である。
【図８】タッチパネル上の付箋図形の書込情報とホーム画面とを対応付ける操作例を示す拡大正面図である。
【図９】タッチパネル上の付箋図形にハイライト表示された文字列を自動的に書き込む操作例を示す拡大正面図である。
【図１０】２台の情報処理装置間で付箋図形に記録された書込情報の送受信を行なう様子を示す拡大正面図である。
【発明を実施するための形態】
【００１１】
本発明について実施例とともに添付図面を参照して詳細に説明する。
図１は、本発明の一実施例に係る情報処理装置１の外観図である。情報処理装置１は、携帯電話やスマートフォンなどの携帯型情報端末であり、液晶ディスプレイにタッチセンサを積層したタッチパネル１０を搭載している。タッチパネル１０には、各種のアイコン、時刻、アンテナ感度が表示される。ユーザがタッチパネル１０を指で接触すると、情報処理装置１はタッチパネル１０上の接触位置や当該接触位置の移動操作に基づいてユーザ操作を判定する。図１では、ゴミ箱２１（即ち、ファイル削除用のフォルダを示すアイコン）と電子付箋２２（即ち、電子付箋アプリケーションを示すアイコン）がタッチパネル１０上に表示されている。
【００１２】
ゴミ箱２１は、削除アプリケーションによりタッチパネル１０上に表示される。ユーザ操作によりタッチパネル１０に表示されたアイコン（例えば、コマンド、ファイル、フォルダなど）が指でドラッグされてゴミ箱２１に重ねられると、当該アイコンに関連付けられたデータが削除用フォルダに移動される。このようにして、ユーザは所望のデータをタッチパネル１０上から削除して、ゴミ箱２１に移動することができる。
【００１３】
ユーザは、電子付箋２２を操作して電子付箋アプリケーションを実行する。具体的には、ユーザが電子付箋２２に指で接触してスライド操作を行うと、情報処理装置１は電子付箋２２に対するユーザ操作を検出し、電子付箋アプリケーションを起動して、当該ユーザ操作に応じて付箋図形をタッチパネル１０上に表示して移動する。
【００１４】
図２は、情報処理装置１の機能ブロック図である。情報処理装置１は、制御部１１、通信部１２、画面制御部１３、タッチセンサ制御部１４、及び記憶部１６を具備する。本実施例は、情報処理装置１に電子付箋アプリケーション処理部１５を具備することを特徴とする。
【００１５】
制御部１１は、情報処理装置１の全体的な動作を制御するものである。通信部１２は、他の情報処理装置（不図示）と通信をして情報を送受信するものである。画面制御部１３は、タッチパネル１０に表示される情報や画像を描画する。タッチセンサ制御部１４は、タッチパネル１０に積層されたタッチセンサに対するユーザの指の接触位置を検出する。また、記憶部１６は半導体メモリやハードディスクドライブで構成される。
【００１６】
電子付箋アプリケーション処理部１５は、アイコン表示部１５１、アイコン選択検出部１５２、付箋表示部１５３、表示状態判定部１５４、付箋書込部１５５、付箋図形管理部１５６、通信接続状態検出部１５７、移動操作検出部１５８、付箋図形データ送信部１５９、及び付箋図形データ取込部１６０を具備する。電子付箋アプリケーションが起動されると、情報処理装置１は上記の機能を実装する。
【００１７】
アイコン表示部１５１は、タッチパネル１０上に電子付箋アプリケーションを示すアイコンである電子付箋２２を表示する。アイコン選択検出部１５２は、ユーザが電子付箋２２を選択して操作したことを検出する。ユーザが電子付箋２２を選択すると、付箋表示部１５３はタッチパネル１０上に付箋図形を表示する。表示状態判定部１５４は、ユーザが付箋図形を指で移動してタッチパネル１０上に既に表示されている所望の情報領域（画像やファイルなどを示す領域）に重ね合わせたか否かを判定する。表示状態判定部１５４により付箋図形がタッチパネル１０上の情報領域に重ねて表示されていると判定した場合、付箋書込部１５５は情報領域に対応する書込情報を付箋図形と関連付け、当該書込情報を付箋図形内に表示する。
【００１８】
付箋図形管理部１５６は、付箋図形内の書込情報を他のアプリケーションに引き渡す処理を管理する。即ち、付箋図形がタッチパネル１０上に表示された他のアプリケーションを示すアイコンやウィンドウに重ねて表示された場合、付箋図形内の書込情報は他のアプリケーションの画面内に表示される。通信接続状態検出部１５７は、他の情報処理装置との通信状態を検出する。移動操作検出部１５８は、ユーザが指でタッチパネル１０上に表示された付箋図形を移動したことを検出する。ユーザの指による付箋図形の移動操作として、例えば、ユーザが指で付箋図形をタッチパネル１０上において所定の速さで移動するスライド操作やフリック操作が検出される。ユーザの付箋図形に対する移動操作が検出された場合、付箋図形データ送信部１５９は付箋図形内の書込情報を他の情報処理装置へ転送する。情報処理装置１が他の情報処理装置より付箋図形データを受信すると、付箋図形データ取込部１６０は当該付箋図形データをタッチパネル１０上に表示する。
【００１９】
本実施例は、上記の機能によりユーザに使い勝手のよい電子付箋処理機能を具備した情報処理装置１を提供する。
次に、情報処理装置１の処理内容について図３乃至図６を参照して詳細に説明する。図３は、情報処理装置１の電子付箋処理を示すフローチャートである。図４乃至図６は、情報処理装置１のタッチパネル１０の表示例及び操作例を示す。
【００２０】
まず、情報処理装置１のアイコン表示部１５１はタッチパネル１０上に電子付箋２２を表示する。アイコン選択検出部１５２は、ユーザが指でタッチパネル１０上の電子付箋２２に接触したか否かを判定する（ステップＳ１０１）。電子付箋２２のタッチパネル２２上の表示位置は半導体メモリ（或いは、ハードディスクなどの記憶手段）に記憶されている。タッチセンサ制御部１４からユーザの指やスタイラスペンによるタッチパネル１０上の接触位置を入力すると、アイコン選択検出部１５２は当該接触位置が電子付箋２２の表示位置と一致するか否かを判定する。電子付箋２２の表示位置が座標範囲で規定される場合には、接触位置が当該座標範囲内であるか否か判定される。尚、電子付箋２２の座標範囲は、当該電子付箋２２のアイコンの表示範囲よりも広く、或いは、狭く設定してもよい。図４は、ユーザの指によるタッチパネル１０上の電子付箋２２の接触操作を示す。ここで、アイコン選択検出部１５２はユーザの指による接触位置がタッチパネル１０上の電子付箋２２の表示位置の範囲内であると判定し、当該電子付箋２２がユーザにより選択されたと判定する。
【００２１】
図５は、ユーザの指によるタッチパネル１０上の電子付箋２２の接触操作及び移動操作を示す。ユーザの指による接触位置がタッチパネル１０上の電子付箋２２の表示位置の範囲内であると判定されると、アイコン選択検出部１５２は付箋表示部１５３に対して付箋図形（図５（ａ）に示す長方形状の画像）を作成してタッチパネル１０上に表示するよう指示する。これにより、付箋図形が電子付箋２２のアイコンに重ねて表示される（ステップＳ１０２）。付箋図形を表示した後にタッチセンサ制御部１４から入力される接触位置情報に基づいて、付箋表示部１５３はユーザの指による電子付箋２２への接触操作が解除されたか、或いは、接触操作を維持したままその接触位置を移動したかを判定する（ステップＳ１０３）。ユーザの指による接触操作が解除された場合には、付箋表示部１５３はタッチパネル１０上の付箋図形の表示を中止する（ステップＳ１０４）。ユーザの指による接触操作を維持したまま移動操作が行なわれた場合（即ち、ユーザの指によるスライド操作が行なわれた場合）、付箋表示部１５３は付箋図形をユーザの指の移動方向に沿って移動する（ステップＳ１０５）。即ち、付箋図形は図５（ａ）に示す位置から図５（ｂ）に示す位置まで移動操作される。付箋表示部１５３はユーザの指による接触操作が解除されるまで付箋図形の移動表示を行い、接触操作の解除時点の接触位置に当該付箋図形を静止して表示する。
【００２２】
ユーザの指による接触操作の解除検出時において、表示状態判定部１５４により付箋図形がタッチパネル１０上の情報領域に重ねて表示されていないと判定されると、付箋表示部１５３は付箋書込部１５５に対して付箋図形内への書込処理の開始を指示する。即ち、付箋書込部１５５は制御部１１に対してキーボード機能の起動を指示する。すると、制御部１１はキーボード機能を起動し、画面制御部１３がキーボードの画像をタッチパネル１０上に表示する。タッチセンサ制御部１４がユーザの指による接触位置を検出し、制御部１１がタッチパネル１０上に表示されたキーボードの画像の各キーに対するユーザの指による接触操作により指定された文字列を検出して、電子付箋アプリケーション処理部１５に出力する。付箋書込部１５５は、入力した文字列を順に付箋図形内に書き込んで表示する（ステップＳ１０６）。これにより、ユーザがタッチパネル１０上に表示されたキーボードを用いて入力した文字列が付箋図形内に表示される。図６は、付箋図形内に「１０：３０データ提出」という文字列が入力されたタッチパネル１０の表示例を示す。このように、情報処理装置１はユーザの指によるタッチパネル１０上の電子付箋の接触操作、スライド操作、及び文字入力操作に応じて付箋機能を実施する。
【００２３】
ユーザの指やスタイラスペンなどでタッチパネル１０上の電子付箋に接触したとき、付箋表示部１５３は付箋図形の大きさ、色、形、種類（例えば、絵柄）などの項目をユーザが選択できるような付箋図形選択一覧画面を表示してもよい。この場合、ユーザは付箋図形選択一覧画面から所望の付箋図形を選択すると、付箋表示部１５３は当該付箋図形をタッチパネル１０に表示する。具体的には、ユーザが指でタッチパネル１０上の電子付箋２２に接触して、その接触操作を所定時間維持したことが検出されると、付箋表示部１５３は電子付箋２２に重ねて付箋図形選択一覧画面を表示する。ユーザが付箋図形選択一覧画面において所望の付箋図形（即ち、所望の大きさ、色、形、種類を有する付箋図形候補）を選択すると、付箋表示部１５３は当該付箋図形を強調表示（或いは、拡大表示）する。その後、ユーザの指による接触位置が移動することにより、選択された付箋図形のスライド操作が行なわれる。移動操作検出部１５８により付箋図形がタッチパネル１０上を移動していることが検出されると、付箋表示部１５３は付箋図形の移動操作（即ち、スライド操作）が実行されたことを判定し、ユーザの指による接触位置の移動方向に沿って付箋図形を移動させながら表示する。
【００２４】
次に、図７に示す情報処理装置１の操作例について説明する。図７の操作例では、前述の図４乃至図６の操作例と同様に、ユーザの指による電子付箋２の選択操作が検出され、付箋図形がタッチパネル１０上に表示される。ユーザは指により付箋図形をスライド操作して、所望の位置に当該付箋図形を移動する。付箋表示部１５３は、ユーザの指がタッチパネル１０上の接触状態を解除したことを検出する。これにより、付箋表示部１５３は表示状態判定部１５４に対して接触解除情報を出力する。
【００２５】
表示状態判定部１５４は、ユーザ操作によってタッチパネル１０上に既に表示されている情報領域に付箋図形が重ねられて表示されているか否かを判定する。例えば、ウェブブラウザが情報領域に表示されている場合、表示状態判定部１５４は付箋図形がウェブブラウザに重ねて表示されていることを検出する。具体的には、ウェブブラウザの表示領域と付箋図形の表示位置とを比較する。表示状態判定部１５４は、付箋図形の表示位置の座標がウェブブラウザの表示領域の座標領域内に存在するか否かを判定する。表示状態判定部１５４は、付箋図形の表示位置がウェブブラウザの表示領域内に存在すると判定した場合、付箋書込部１５５へ当該表示情報の識別情報（例えば、ウェブブラウザの識別情報やＩＤ）を通知する。
【００２６】
付箋書込部１５５は、識別情報を受け取ると、その表示領域から所定の情報を検出する。図７の場合、付箋書込部１５５はタッチパネル１０上に現在表示されているウェブブラウザ内のウェブページのＵＲＬを記憶部１６から読み取る。この場合、ウェブブラウザ機能部に問い合わせて、その応答によりウェブページのＵＲＬを取得するようにしてもよい。付箋書込部１５５は、読み取った又は取得したＵＲＬの文字列を付箋図形内に表示する。このような処理により、ウェブページのＵＲＬが付箋図形内に自動的に記録される。この付箋図形を保存することで、ユーザはタッチパネル１０上に現在表示されているウェブページのＵＲＬを容易に読み出すことができる。
【００２７】
図７では、ウェブページに付箋図形を重ねて表示して、当該ウェブページのＵＲＬを付箋図形内に読み込んで表示する操作例について説明したが、これに限定されるものではない。例えば、ウェブページのＵＲＬが表示されている領域（即ち、ＵＲＬの文字列が表示されている領域）に付箋図形が重ねられた場合にのみ、当該ＵＲＬを自動的に付箋図形内に読み込んで表示するようにしてもよい。この場合、表示状態判定部１５４は付箋図形の表示位置がウェブブラウザの表示領域内における所定の領域（即ち、ＵＲＬの文字列が表示されている領域）に一致するか否かを判定する。付箋図形の表示位置がウェブブラウザの表示領域内の所定領域に一致する場合、表示状態判定部１５４は表示情報の識別情報（例えば、ウェブブラウザの識別情報やＩＤ）を付箋書込部１５５へ通知する。付箋書込部１５５は識別情報を受け取ると、表示情報（即ち、ウェブページ）のＵＲＬを記憶部１６から読み出すか、或いは、ウェブブラウザ機能部から取得して、当該ＵＲＬの文字列を付箋図形内に表示する。
【００２８】
次に、図８に示す情報処理装置１の操作例について説明する。この操作例では、付箋図形は自動的に保存される。ここでは、図７に示すように、ウェブブラウザの表示領域に付箋図形が重ねて表示されているものとする。付箋表示部１５３は、所定時間が経過すると自動的に付箋図形をタッチパネル１０上から消去する。また、付箋表示部１５３は消去された付箋図形を他の画面内に表示するように付箋図形管理部１５６に指示してもよい。即ち、付箋図形管理部１５６の制御により、タッチパネル１０の画面表示が切り替えられたときに、自動的に消去された付箋図形が改めて表示される。図８の場合、付箋図形管理部１５６の制御により、付箋図形がホーム画面上に表示される。具体的には、付箋図形管理部１５６はウェブページのＵＲＬの文字列が書き込まれた付箋図形とホーム画面とを対応付けて記憶部１６内のホーム画面表示情報データテーブルに登録する。これにより、画面制御部１３がタッチパネル１０上にホーム画面を表示する際、付箋図形管理部１５６はホーム画面表示情報データテーブルからホーム画面に表示する付箋図形の情報を読み取って、当該付箋図形をタッチパネル１０上に表示する。尚、付箋図形を保存する画面はホーム画面に限定されるものではない。例えば、日記記録画面、スケジュール画面、その他の画面上に付箋図形を保存するようにしてもよい。
【００２９】
上記のように、ユーザの指によるウェブブラウザ上に表示された付箋図形の移動操作によって、自動的に付箋図形をホーム画面などの所望の画面に移動して保存するこができる。これにより、ユーザが付箋図形の処理後にウェブブラウザを引き続き利用する際に、当該付箋図形がウェブブラウザ上に表示されたままとなってウェブブラウザが見にくくなり、ユーザの操作を阻害することを防止することができる。自動的にホーム画面に付箋図形を保存して表示するような設定を行なうと、ユーザが情報処理装置１を起動した際にタッチパネル１０上に表示されるホーム画面に付箋図形が表示されるため、ユーザは当該付箋図形に書き込んだメモや情報を容易に閲覧することができる。また、情報処理装置１において付箋図形を保存して表示する画面をユーザが任意に設定することができれば、ユーザが任意に所望の画面をタッチパネル１０に表示して、付箋図形の書込情報を読み取ることができる。このようにして、ユーザに対する電子付箋２２の利便性を向上するとともに、ユーザによる付箋図形の書込情報の管理を実現することができる。
【００３０】
尚、付箋図形に書き込まれる情報はＵＲＬの文字列に限定されるものではない。タッチパネル１０上に表示される表示情報に付箋図形が重ねて表示されている場合、当該付箋図形の書込情報を表示情報に応じて決定するようにしてもよい。また、付箋図形の書込情報として種々の情報を採用することができる。例えば、氏名（姓、名、本名、愛称）、組織（名称、組織のジャンル）、場所（住所、所在地、出発／目的地）、電話番号（電話音声データ、ＦＡＸ番号）、メールアドレス、日時（誕生日、期限、発車時刻）、静止画像データ、動画像データ、音声データ、アプリケーションデータ（プレイヤ、ビューア、ブラウザ、メーラ、ダイアラ、編集ツール、プログラム、アプリケーション処理依頼先アドレス、等）を付箋図形内に書き込むようにしてもよい。
【００３１】
付箋図形に複数の書込情報を一括表示するようにしてもよい。付箋図形が重ねて表示された表示情報の種類に応じて当該表示情報からどの書込情報を取得するかの決定は、記憶部１６に格納されたホーム画面表示情報データテーブルに当該表示情報の識別情報と対応付けて記憶するようにしてもよい。また、付箋図形の書込情報の読出を容易にするため、当該書込情報の記憶領域をホーム画面表示情報データテーブルに表示情報の識別情報と対応付けて記憶するようにしてもよい。また、付箋図形を重ねて表示した表示情報がカレンダーである場合、付箋書込部１５５はカレンダー機能に記録されている所定の日付または所定期間に係るメモをカレンダー機能部から取得して、複数のメモを纏めて付箋図形に書き込むか、或いは、メモを日付ごとに分類して付箋図形に書き込むようにしてもよい。また、複数の付箋図形をタッチパネル１０上に表示する場合、それらの付箋図形に書き込まれた文字列の最初の文字や番号によって付箋図形の順番を決めて、その順番で複数の付箋図形を並べて表示するようにしてもよい。
【００３２】
次に、図９に示す操作例について説明する。ここでは、情報処理装置１のタッチパネル１０上の表示領域に文書情報が表示されており、図９（ａ）に示すように文書情報の一部分の文字列がユーザの指により選択されてハイライト表示されている。この状態において、ユーザは指で電子付箋２２を選択して付箋図形を表示し、当該付箋図形をスライド操作する。これにより、付箋表示部１５３はユーザの指の接触位置の移動に沿って付箋図形を所望の位置に移動する。その後、ユーザの指による接触操作の解除を検出すると、付箋書込部１５５はハイライト表示している文字列を読み込んで、付箋表示部１５３へ出力する。付箋表示部１５３は、読み込んだ文字列を付箋図形に書き込む。このような処理により、タッチパネル１０の表示領域に表示されている文書情報においてユーザが選択した文字列又は文章を自動的に付箋図形に書き込むことができるため、ユーザに対する電子付箋２２の利便性を更に向上することができる。
【００３３】
図９では、文書情報中の「情報処理装置」という１つの文字列がハイライト表示されている例を示しているが、これに限定されるものではない。文書情報において複数の文字列が離間してハイライト表示されている場合には、付箋書込部１５５はハイライト表示されている複数の文字列を纏めて結合して書込情報を生成する。例えば、文書情報中において文章Ａと文章Ｂがハイライト表示されているものとする。この場合、ユーザが指で付箋図形を文書情報の表示領域に移動操作すると、付箋書込部１５５は文章Ａと文章Ｂとを結合し、文章Ａ＋文章Ｂで構成される書込情報を生成して、付箋表示部１５３へ出力する。その後、付箋表示部１５３は文章Ａ＋文章Ｂで構成される書込情報を付箋図形内に書き込んで表示する。
【００３４】
複数のテキストが離間して文書情報中にハイライト表示されている場合、付箋書込部１５５は文書情報の文意を認識するプログラムを適用して、認識した文意から複数のテキストの順序を推定して、それらを結合するようにしてもよい。また、付箋書込部１５５はユーザのマルチタッチジェスチャによりタッチパネル１０上の複数の付箋図形が指定されたことを検出した場合、複数の付箋図形に記述された複数の書込情報を一つの付箋図形内に結合してもよい。この場合、複数の書込情報を結合して表示した一つの付箋図形のみをタッチパネル１０上に表示し、それ以外の付箋図形を削除するようにしてもよい。
【００３５】
複数のテキストが離間して文書情報中にハイライト表示されている場合、付箋書込部１５５は複数のテキストについて種々の結合方法を適用することができる。例えば、文章情報の文法を解釈して複数のテキストを並べ替えて結合したり、複数のテキストの名称を五十音やアルファベット順に並べて結合したり、複数のテキストに含まれる数値情報に基づいて結合する順序を決定したり、複数のテキストを昇順または降順に並べて結合するようにしてもよい。或いは、複数のテキストの順序や結合ルールをユーザに尋ねるような機能を情報処理装置１に実装してもよい。
【００３６】
付箋図形の書込情報は文書情報に含まれる文章に限定されるものではなく、動画像や静止画像などの他のデータを選択して付箋図形に書き込むようにしてもよい。付箋図形に複数の動画像や静止画像を書き込む場合、そのデータ名称、日付やタイムデータからそれらの表示順序を決定するようにしてもよい。また、プログラムなどの処理手順を付箋図形に書き込むこともできる。この場合、複数の処理手順に基づく処理結果をバッチ処理として順次実行するようにしてもよい。或いは、パイプライン処理のようにある処理手順の処理結果が別の処理手順に入力されるように、複数の処理手順を順次結合するようにしてもよい。
【００３７】
付箋書込部１５５は、所望の書込情報を既に記録した付箋図形に対して、文書情報中においてハイライト表示された文章を追加の書込情報として抽出して付箋表示部１５３へ出力してもよい。これにより、付箋表示部１５３は追加の書込情報を付箋図形内に書き込むことができる。この場合、付箋表示部１５３は追加の書込情報を既に付箋図形に記録されている書込情報の最後尾に追加する。付箋表示部１５３は既に付箋図形に記録されているテキストや追加されるテキストを認識するプログラムを適用して、それらのテキストの文意を認識して複数のテキストの順序を推定するようにしてもよい。この場合、追加するテキストを付箋図形に既に記録されているテキストの最後尾ではなく、所望の位置に挿入してもよい。また、追加する書込情報が静止画像や動画像の場合、それらの画像は基本的に付箋図形に既に記録された書込情報の最後尾に追加される。しかし、画像のデータ名称、日付やタイムデータに基づいて複数の画像の順序を決定し、付箋図形に既に記録された書込情報の最後尾ではなく、所望の位置に挿入してもよい。追加する書込情報がプログラムなどの処理手順の場合、それらの処理手順は基本的に付箋図形に既に記録された書込情報の最後尾に追加される。しかし、処理手順の追加位置をユーザに尋ねるようなオプション機能を情報処理装置１に実装するようにしてもよい。
【００３８】
次に、図１０に示す操作例について説明する。
本実施例に係る情報処理装置１はユーザ操作により付箋図形に記録した書込情報を他の情報処理装置１Ａへ送信することができる。図１０は、本実施例に係る情報処理装置１と他の情報処理装置１Ａとの間で付箋図形の書込情報を送信している様子を示す。情報処理装置１Ａは情報処理装置１と同等の構成及び機能（即ち、図２に示す構成及び機能）を有しており、そのタッチパネル１０Ａ上にはゴミ箱２１Ａや電子付箋２２Ａのアイコンが表示されている。付箋図形の書込情報の送受信処理について図１０（１）乃至（４）を参照して詳細に説明する。
【００３９】
（１）情報処理装置１のユーザが指でタッチパネル１０上に表示されている付箋図形を所定時間以上接触操作する。付箋表示部１５３は、付箋図形が画面上に浮き上がるような描画処理、または付箋図形が浮き上がったような視覚効果を提示する揺らぎの描画処理を行なう。
【００４０】
（２）情報処理装置１のユーザが付箋図形の書込情報を他の情報処理装置１Ａに送信する場合、指でその付箋図形に接触したままフリック操作を行なう。フリック操作とは、ユーザが指先でタッチパネル１０を弾くようなジェスチャで接触位置を素早く移動させる操作である。移動操作検出部１５８はフリック操作を検出すると、通信接続状態検出部１５７に対して通信接続状態の判定を指示する。
【００４１】
（３）通信接続状態検出部１５７は通信部１２より通信接続状態を取得しており、情報処理装置１と他の情報処理装置１Ａとの通信接続状態が「接続」か「非接続」を記憶部１６に記憶している。記憶部１６に記憶されている通信接続状態が「接続」を示す場合、通信接続状態検出部１５７は付箋図形データ送信部１５９に対して他の情報処理装置１Ａへの送信指示を行なう。付箋図形データ送信部１５９は、付箋図形管理部１５６がホーム画面表示情報データテーブルに保存している付箋図形データ（即ち、付箋図形及びその書込情報）を読み取って、当該付箋図形データを通信部１２を介して他の情報処理装置１Ａに送信する。
【００４２】
通信部１２は、ＷｉＦｉ、Ｂｌｕｅｔｏｏｔｈ（登録商標）、赤外線通信、携帯電話システムの基地局とのデータ通信など複数の通信機能を実装している。複数の通信機能の内いずれの通信機能を用いて付箋図形データを送信するのかをユーザ設定に基づいて事前に登録してもよい。また、どの宛先情報（ＩＰアドレス、電話番号、識別情報、ＩＤなど）に対応する情報処理装置に付箋図形データを送信するのかをユーザ設定に基づいて事前に登録してもよい。これにより、付箋図形データ送信部１５９はユーザ設定により事前登録された通信機能と宛先情報とに基づいて、付箋図形データを他の情報処理装置１Ａに送信する。尚、付箋図形に対するユーザの指によるフリック操作はタッチパネル１０上のどの方向に行なわれてもよい。また、ユーザが指で複数の付箋図形を選択し、かつ、フリック操作を行なった場合、複数の付箋図形に係る付箋図形データを一括して他の情報処理装置１Ａに送信するようにしてもよい。
【００４３】
（４）情報処理装置１から付箋図形データを受信した他の情報処理装置１Ａでは、付箋図形データ取込部１６０が通信部１２を介して付箋図形データを取得して、付箋図形管理部１５６のホーム画面表示情報データテーブルに記録する。これにより、他の情報処理装置１Ａの画面制御部１３がタッチパネル１０Ａ上にホーム画面を表示する際、付箋図形管理部１５６がホーム画面表示情報データテーブルから受信した付箋図形データを読み取って、ホーム画面にその付箋図形と書込情報を表示する。上述の送受信処理（１）乃至（４）に従って、２台の情報処理装置１、１Ａ間で付箋図形データの送受信が行なわれる。
【００４４】
情報処理装置１において、ユーザが指でタッチパネル１０上に表示されている付箋図形を移動操作してゴミ箱２１に重ねて表示すると、付箋図形管理部１５６は付箋図形データを削除する。具体的には、ユーザが指でタッチパネル１０上に表示された付箋図形に接触してその接触位置を移動操作すると、付箋表示部１５３はユーザの指による接触位置の移動に沿って付箋図形の表示位置を移動する。その後、付箋図形管理部１５６はゴミ箱２１の表示領域に付箋図形の表示位置が重複した判定し、更に、ユーザの指による接触操作の解除を検出すると、付箋表示部１５３に対してタッチパネル１０上に表示されている付箋図形を削除するよう指示する。また、付箋図形管理部１５６はホーム画面表示情報データテーブルから付箋図形データを削除する。或いは、タッチパネル１０上のゴミ箱に重ねて表示された付箋図形と関連付けられた付箋図形データを削除候補としておき、別途削除指示が発せられると、当該付箋図形データを削除するようにしてもよい。
【００４５】
尚、ユーザの指によりタッチパネル１０上に表示された複数の付箋図形が同時に選択され、その内の１つの付箋図形について移動操作されてゴミ箱２１の表示領域に重複し、かつ、当該付箋図形に対する接触操作の解除が検出された場合、付箋図形管理部１５６は複数の付箋図形の全てを削除するか、或いは、複数の付箋図形の全てを削除候補としてもよい。また、ユーザの指によるマルチタッチジェスチャによりタッチパネル１０上に表示された複数の付箋図形を含む領域が指定されたことを検出し、かつ、ユーザが指で当該領域を狭めるようなジェスチャを検出した場合、付箋図形管理部１５６は複数の付箋図形を一つのグループと判定する。その後、複数の付箋図形の内の一つの付箋図形について移動操作されてゴミ箱２１の表示領域に重複したことを検出すると、付箋図形管理部１５６は複数の付箋図形の全てを削除するか、或いは、複数の付箋図形の全てを削除候補としてもよい。
【００４６】
上述の操作例は例示的なものであり、限定的なものではなく、他の操作例を情報処理装置１に実装することもできる。例えば、付箋図形管理部１５６は複数の付箋図形がタッチパネル１０上に順次重複して表示されたことを検出し、各付箋図形の順序を判定するようにしてもよい。例えば、付箋図形管理部１５６はプログラムなどの処理手順を格納した複数の付箋図形がタッチパネル１０上に重複して表示されていることを検出する。この場合、付箋図形管理部１５６は最上層の付箋図形にプログラムの実行情報が書き込まれていることを検出すると、最下層の付箋図形に記録されているプログラムから上方層の付箋図形に記録されているプログラムの順序で、各プログラムを順次実行するよう制御部１１に指示する。このようにして、付箋図形を用いたプログラムの実行並びにプログラムの実行順序の指示を行なうことができる。
【００４７】
上述のように、本実施例によれば、ユーザが所望の情報を付箋図形に書き込んで（即ち、所望のデータを付箋図形に関連付けて）タッチパネル上に表示させることができる。このため、ユーザは直感的に情報処理装置１を操作して所望の情報を記録することができるとともに、所望の処理を容易に実行することができるため、ユーザに対する電子付箋の利便性を向上することができる。また、本実施例によれば、ユーザが付箋図形をタッチパネル上の所望の位置まで移動操作して所望の表示領域に重複させると、その表示情報を自動的に読み込んで当該付箋図形に書き込むことができる。従って、データの種類や構造に拘らずユーザは同一の操作で付箋図形に所望のデータを書き込むことができる。換言すれば、ユーザは付箋図形をフォルダのように機能させて、容易に所望のデータを格納することができる。
【００４８】
本実施例に係る情報処理装置１は、内部にコンピュータシステムを具備しており、本実施例の機能（即ち、電子付箋アプリケーション処理部１５の機能）はプログラム形式でコンピュータ読取り可能な記録媒体に記録されている。このプログラムを読み出して実行することにより、本実施例の処理を実施することができる。尚、コンピュータ読取り可能な記録媒体とは、磁気ディスク、光磁気ディスク、ＣＤ−ＲＯＭ、ＤＶＤ−ＲＯＭ、半導体メモリなどをいう。また、コンピュータプログラムを通信回線によりコンピュータに配信し、この配信を受けたコンピュータが当該コンピュータプログラムを実行するようにしてもよい。また、上記のプログラムは本実施例の機能の一部を実現するためのものでもよい。更に、本実施例の機能をコンピュータシステムに既に実装されているプログラムとの組み合わせにより実現するような差分ファイル（差分プログラム）としてもよい。
【産業上の利用可能性】
【００４９】
本発明は、タッチパネルを搭載した情報処理装置において、ユーザに対する電子付箋の利便性を向上すべく、付箋図形内に所望の情報を貼り付けたり、他の情報処理装置に転送するような種々の機能を具現化するものであり、携帯電話、スマートフォン、タブレット型ＰＣなどに適用することができる。
【符号の説明】
【００５０】
１    情報処理装置
１１  制御部
１２  通信部
１３  画面制御部
１４  タッチセンサ制御部
１５  電子付箋アプリケーション処理部
１６  記憶部
１５１  アイコン表示部
１５２  アイコン選択検出部
１５３  付箋表示部
１５４  表示状態判定部
１５５  付箋書込部
１５６  付箋図形管理部
１５７  通信接続状態検出部
１５８  移動操作検出部
１５９  付箋図形データ送信部
１６０  付箋図形データ取込部
【図１】
0006048408.tif 000002
【図２】
0006048408.tif 000003
【図３】
0006048408.tif 000004
【図４】
0006048408.tif 000005
【図５】
0006048408.tif 000006
【図６】
0006048408.tif 000007
【図７】
0006048408.tif 000008
【図８】
0006048408.tif 000009
【図９】
0006048408.tif 000010
【図１０】
0006048408.tif 000011